(57)【特許請求の範囲】
【請求項１】
内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態のいずれかを選択的にとり得る開閉機構とを備えたスティック糊の容器であって、
前記開閉機構が、前記容器本体に設けられ外側に円形状をなす嵌合部を有したキャップ取付筒と、このキャップ取付筒の嵌合部に着脱可能に外嵌されたキャップとを備えたものであり、
前記キャップ取付筒が、その内周面の少なくとも一部を先端方向に開放された隙間を介して前記容器本体に対面させたものであることを特徴とするスティック糊の容器。
【請求項２】
前記容器本体が、前記糊導出口を先端に有した糊充填部と、この糊充填部に一体に設けられ使用者が把持するための把持部分を備えたボディとを備えたものである請求項１記載のスティック糊の容器。
【請求項３】
前記容器本体が、前記糊導出口を先端に有した糊充填部と、この糊充填部を包持し使用者が把持するための把持部分を備えたボディとを備えたものであり、前記糊充填部を前記ボディに対して着脱可能に設けたものである請求項１記載のスティック糊の容器。
【請求項４】
前記糊導出口が、前記キャップ取付筒の先端よりも先方に配されたものである請求項１、２または３記載のスティック糊の容器。
【請求項５】
前記糊導出口が、多角形である１、２、３または４記載のスティック糊の容器。
【請求項６】
前記キャップ取付筒が、嵌合部を形成する気密性保持用のリブを全周にわたって備えたものである請求項１、２、３、４または５記載のスティック糊の容器。
【請求項７】
前記キャップ取付筒が、前記キャップを閉止位置にクリックストップさせるためのクリックストップ用のリブを兼ねた前記気密性保持用のリブを備えたものである請求項６記載のスティック糊の容器。
【請求項８】
前記キャップ取付筒が、前記気密性保持用のリブと、このリブとは別に設けられ前記キャップを閉止位置にクリックストップさせるためのクリックストップ用の突部とを備えたものである請求項６記載のスティック糊の容器。
【請求項９】
前記キャップ取付筒が、嵌合部を形成する気密性保持用の面を全周にわたって備えたものである１、２、３、４または５記載のスティック糊の容器。
【請求項１０】
前記隙間に、前記嵌合部の円形度合いに影響を及ぼしにくい態様で前記キャップ取付筒の材料とは異なった材料を充填したものである１、２、３、４、５、６、７、８または９記載のスティック糊の容器。
【請求項１１】
請求項１〜１０のいずれかに記載された容器の糊充填部内に糊を充填してなることを特徴とするスティック糊。
【請求項１２】
前記容器が、前記糊を糊導出口から漸次導出させるための糊押し出し機構を備えたものである請求項１１記載のスティック糊。
【請求項１３】
請求項３記載の容器の前記糊充填部に糊を充填してなるスティック糊に使用されるリフィルであって、
前記糊充填部に糊を充填した状態で前記糊導出口を開放可能に封止したものであり、前記ボディに着脱可能に装着し得るように構成されていることを特徴とするリフィル。
【請求項１４】
前記糊導出口を気密シートまたはリフィルキャップにより封止したものであり、その気密シートまたはリフィルキャップを除去した状態で前記ボディに着脱可能に装着し得るようにしたものである請求項１３記載のリフィル。
【請求項１５】
前記糊導出口を前記キャップにより封止したものであり、前記ボディに着脱可能に装着し得るようにしたものである請求項１３記載のリフィル。
【発明の詳細な説明】
【技術分野】
【０００１】
本発明は、内部に糊が充填されるスティック糊の容器、この容器の内部に糊が充填されたスティック糊、及び、スティック糊に使用されるリフィルに関するものである。
【背景技術】
【０００２】
この種のスティック糊として、内部に糊が充填される円筒状の糊充填部を備え、この糊充填部の先端に糊を外部に導出するための円形状をなす糊導出口が形成されたものが知られている（例えば、特許文献１を参照）。【０００３】
このようなスティック糊を用いて、例えば、四角形状の用紙の周囲に糊を塗布しようとすると、当該用紙の角部分に糊を塗るのが困難である。【０００４】
一つの対処法としては、塗布すべき用紙の下側に、当該用紙の周囲の外側にはみ出すようにして重ねられる別の用紙等を用意して、塗布すべき用紙の周囲からはみ出すように糊を塗布する方法が考えられる。ところが、塗布すべき用紙とは別の用紙を用意することが必要となったり、塗布すべき用紙から糊がはみ出したりするため、非常に不経済である。【０００５】
ところで、四角形状の用紙に糊を塗布しやすくするための他の対処法として、内部に糊が充填される糊充填部が角柱状で、その先端の四角形状をなす糊導出口から角柱状の糊が押し出されるスティック糊も開発されている。このようなものでは、糊充填部の先端に嵌るキャップと、このキャップが嵌合するキャップ取付筒とが角形筒状になっており、従来のようなキャップ及びキャップ取付筒が円筒状になったものと比べて気密性が悪いという不具合がある。詳述すれば、角形筒状をなすキャップとキャップ取付筒とは、角部分では互いに密着してしっかりと嵌合されていても、それ以外の辺部分では密着しにくく、全体として高い気密性を保つことが難しい。そして、気密性が損なわれると、糊充填部内の糊が早期に乾いてしまい、糊の使用期限が短くなったり、キャップ取付筒とキャップとの間の当接部分に付着した糊が早期に乾いて、キャップの着脱に支障が出たりする等の不具合が生じる。
【先行技術文献】
【特許文献】
【０００６】
【特許文献１】特開２００３−５４１９４号公報
【発明の概要】
【発明が解決しようとする課題】
【０００７】
本発明は、気密性を高めることができるとともに、糊導出口の形状に関する設計の自由度を高めることが可能なスティック糊の容器、この容器の内部に糊が充填されたスティック糊、及び、スティック糊に使用されるリフィルを提供することを目的とする。
【課題を解決するための手段】
【０００８】
本発明は、以上のような課題を解決するために、次のような構成を採用したものである。すなわち、本発明に係るスティック糊の容器は、内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態のいずれかを選択的にとり得る開閉機構とを備えたスティック糊の容器であって、前記開閉機構が、前記容器本体に設けられ外側に円形状をなす嵌合部を有したキャップ取付筒と、このキャップ取付筒の嵌合部に着脱可能に外嵌されたキャップとを備えたものであり、前記キャップ取付筒が、その内周面の少なくとも一部を先端方向に開放された隙間を介して前記容器本体に対面させたものであることを特徴とする。
【０００９】
ここで、「円形状」とは、中心からの距離が一定の真円や、例えば真円に近い楕円等、中心からの距離が完全に一定ではない誤差を含んだ形状を包含する概念である。【００１０】
前記容器本体の好適な一態様としては、前記糊導出口を先端に有した糊充填部と、この糊充填部に一体に設けられ使用者が把持するための把持部分を備えたボディとを備えたものが挙げられる。【００１１】
また、前記容器本体の好適な他の態様としては、前記糊導出口を先端に有した糊充填部と、この糊充填部を包持し使用者が把持するための把持部分を備えたボディとを備えたものであり、前記糊充填部を前記ボディに対して着脱可能に設けたものが挙げられる。【００１２】
前記糊導出口は、前記キャップ取付筒の先端よりも先方に配されたものが好ましい。【００１３】
前記糊導出口は、多角形であるものが好適な一態様として挙げられる。ここで、「多角形」とは、各辺を構成する線分の端点が滑らかに連続しているもの、具体的には、糊導出口の角に糊が残留しない程度に角が丸くなっているものも含む概念である。【００１４】
前記キャップ取付筒の好適な一態様としては、嵌合部を形成する気密性保持用のリブを全周にわたって備えたものが挙げられる。ここで、「全周」とは、気密性を保つことができればどのようなものであってもよく、一部が切り欠かれたものを含む概念である。【００１５】
前記キャップ取付筒の具体的な一例としては、前記キャップを閉止位置にクリックストップさせるためのクリックストップ用のリブを兼ねた前記気密性保持用のリブを備えたものが挙げられる。【００１６】
前記キャップ取付筒の具体的な他の例としては、前記気密性保持用のリブと、このリブとは別に設けられ前記キャップを閉止位置にクリックストップさせるためのクリックストップ用の突部とを備えたものが挙げられる。前記突部としては、例えば、比較的短寸な突起や、連続的に形成される比較的長尺な突条等が好ましい。【００１７】
前記キャップ取付筒の好適な他の態様としては、嵌合部を形成する気密性保持用の面を全周にわたって備えたものが挙げられる。【００１８】
前記隙間に、前記嵌合部の円形度合いに影響を及ぼしにくい態様で前記キャップ取付筒の材料とは異なった材料を充填したものが好ましい。【００１９】
また、本発明のスティック糊は、請求項１〜１０のいずれかに記載された容器の糊充填部内に糊を充填してなることを特徴とする。【００２０】
前記容器は、前記糊を糊導出口から漸次導出させるための糊押し出し機構を備えたものが好ましい。【００２１】
さらに、本発明のリフィルは、請求項３記載の容器の前記糊充填部に糊を充填してなるスティック糊に使用されるリフィルであって、前記糊充填部に糊を充填した状態で前記糊導出口を開放可能に封止したものであり、前記ボディに着脱可能に装着し得るように構成されていることを特徴とする。【００２２】
前記リフィルの具体的な一態様としては、前記糊導出口を気密シートまたはリフィルキャップにより封止したものであり、その気密シートまたはリフィルキャップを除去した状態で前記ボディに着脱可能に装着し得るようにしたものが挙げられる。【００２３】
前記リフィルの具体的な他の態様としては、前記糊導出口を前記キャップにより封止したものであり、前記ボディに着脱可能に装着し得るようにしたものが挙げられる。
【発明の効果】
【００２４】
本発明は、以上のような構成であるから、気密性を高めることができるとともに、糊導出口の形状に関する設計の自由度を高めることが可能なスティック糊の容器、この容器の内部に糊が充填されたスティック糊、及び、スティック糊に使用されるリフィルを提供することができる。
【図面の簡単な説明】
【００２５】
【図１】本発明の第１実施形態にかかるスティック糊を示す斜視図。
【図２】同実施形態のスティック糊の一部を拡大して示す分解斜視図。
【図３】同実施形態のスティック糊のキャップ開放状態を示す平面図。
【図４】同実施形態のスティック糊の容器のキャップ開放状態を示す平面図。
【図５】図４のＸ−Ｘ線断面図。
【図６】図５のＹ−Ｙ線端面図。
【図７】図５のＺ−Ｚ線端面図。
【図８】本発明の第２実施形態にかかるスティック糊を示す分解斜視図。
【図９】同実施形態のリフィルを示す分解斜視図。
【図１０】本発明の第３実施形態にかかるスティック糊を示す分解斜視図。
【図１１】本発明の第４実施形態にかかるスティック糊を示す分解斜視図。
【図１２】本発明の第５実施形態にかかるスティック糊を示す分解斜視図。
【図１３】本発明の第６実施形態にかかるスティック糊を示す分解斜視図。
【図１４】本発明の第７実施形態にかかるスティック糊の一部を拡大して示す分解斜視図。
【図１５】本発明の第８実施形態にかかるスティック糊の一部を拡大して示す分解斜視図。
【図１６】本発明の第９実施形態にかかるスティック糊の一部を拡大して示す分解斜視図。
【図１７】本発明の変形例にかかるスティック糊のキャップ開放状態を示す平面図。
【図１８】本発明の他の変形例にかかるスティック糊のキャップ開放状態を示す平面図。
【図１９】本発明のさらに他の変形例にかかるスティック糊のキャップ開放状態を示す平面図。
【発明を実施するための形態】
【００２６】
＜第１実施形態（図１〜図７）＞
以下、本発明の第１実施形態を図１〜図７を参照して説明する。
【００２７】
この実施形態のスティック糊１は、図１〜図３に示すように、容器２内に糊３を充填したものである。
【００２８】
前記容器２は、図１〜図７に示すように、内部に糊３が充填される糊充填空間４１を有するとともに先端４４１に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものである。
【００２９】
前記容器本体４は、図１〜図７に示すように、前記糊導出口４２を先端に有した糊充填部４３と、この糊充填部４３に一体に設けられ使用者が把持するための把持部分４４６を備えたボディ４４とを備えたものである。
【００３０】
前記糊充填部４３は、図２〜図７に示すように、角形筒状をなす内周面４３１を備えたものであり、合成樹脂によりボディ４４と一体に成形されている。詳述すれば、糊充填部４３は、前記ボディ４４の内周に一体化されたもので、その角形筒状をなす先端筒状部分４３２のみが前記ボディ４４の先端４４１よりも先方に突出させてある。
【００３１】
前記ボディ４４は、図１〜図７に示すように、前記糊充填部４３の先端筒状部分４３２以外の部分を一体に包持するもので、このボディ４４の先端拡開部分４４２は、前記糊充填部４３の先端筒状部分４３２から離れるように拡開している。また、このボディ４４の基端は、底壁４４３により閉塞されており、この底壁４４３の中心部分に前記糊押し出し機構６に係わる軸孔４４４が形成されている。ボディ４４の外周面４４５と糊充填部４３の内周面４３１との距離Ｌ１は、全周にわたって略均一になるように設定されており、このボディ４４の略角形筒状をなす外周面４４５に前記把持部分４４６が形成されている。
【００３２】
前記開閉機構５は、図１〜図６に示すように、前記容器本体４に設けられ外側に真円をなす嵌合部５１１を有したキャップ取付筒５１と、このキャップ取付筒５１の嵌合部５１１に着脱可能に外嵌されたキャップ５２とを備えたものである。
【００３３】
前記キャップ取付筒５１は、図２〜図６に示すように、合成樹脂を材料として型を用いて形成されたものであり、具体的には、前記ボディ４４の先端拡開部分４４２の先端４４１に一体に形成されたものである。前記キャップ取付筒５１は、その内周面５１２を先端方向に開放された隙間５１３を介して前記容器本体４の先端筒状部分４３２に対面させたものである。なお、このキャップ取付筒５１は、径方向に弾性変形し得る薄肉円筒状のものであり、前記糊充填部４３の先端筒状部分４３２に外接させてある。すなわち、前記キャップ取付筒５１と前記糊充填部４３とは、該糊充填部４３の４つの角部５１４においてのみ一体化されている。そのため、前記隙間５１３は、角部５１４においてそれぞれ分断されている。このキャップ取付筒５１は、嵌合部５１１を形成する断面半円形をなす気密性保持用のリブ５１５を全周にわたって備えたものである。この実施形態においては、前記気密性保持用のリブ５１５が、前記キャップ５２を閉止位置（Ｃ）にクリックストップさせるためのクリックストップ用のリブ５１６を兼ねている。前記気密性保持用のリブ５１５は、キャップ取付筒５１の先端部外周に形成されており、このキャップ取付筒５１を可及的短寸に設計してある。そして、前記糊導出口４２は、前記キャップ取付筒５１の先端５１７よりも先方に配されている。
【００３４】
前記キャップ５２は、図１、図２、図５及び図６に示すように、円筒状をなす周壁５２１と、この周壁５２１の先端を閉塞する閉止壁５２２とを有してなるもので、その周壁５２１を前記キャップ取付筒５１の外周に着脱可能に嵌合させ得るように構成されている。このキャップ５２は、合成樹脂により一体に成形されたもので、その内周面５２３に内周リブ５２４を一体に備えている。前記内周リブ５２４は、断面半円形状をなしており、前記気密性保持用のリブ５１５を部材の弾性変形を利用して乗り越えることにより、該リブ５１５に密着嵌合するものである。なお、前記ボディ４４の先端４４１には、前記気密性保持用のリブ５１５を乗り越えたキャップ５２の端部が当接する当接壁４４７を備えている。
【００３５】
前記糊押し出し機構６は、図１、図４、図５及び図７に示すように、前記ボディ４４の軸孔４４４に貫装したねじ棒６１と、このねじ棒６１の外方端に固着した手動操作用のグリップ６２と、前記糊充填部４３内において前記ねじ棒６１に螺着されたエレベータ６３とを具備してなるものであり、前記グリップ６２を回動操作してエレベータ６３を前進させることにより糊充填部４３内に充填した糊３を糊導出口４２から外部に押し出し得るようになっている。
【００３６】
このような構成のものであれば、前記グリップ６２を回転操作して糊３の先端を糊導出口４２から外部に臨ませた上で、前記ボディ４４を把持し、所望の紙面等に糊３を塗ることができる。この場合、前記糊導出口４２が四角形であるため、四角形の用紙の角部にも無理なく糊３を塗布することが可能になる。特に、この実施形態では、前記糊導出口４２をキャップ取付筒５１の先端５１７よりも先方に位置させているので、前記糊充填部４３の先端部分の視認性が良好なものになり、塗布領域を常に確認しながら塗ることができる。
【００３７】
また、図１及び図５〜図７に示す非使用時には、前記キャップ取付筒５１の外周にキャップ５２を嵌合させることにより前記糊充填部４３に充填された糊３が密閉された状態となり、乾燥による変質を防止または抑制することができる。特に、前記キャップ取付筒５１の嵌合部５１１を真円にしているので、図６に示すように、全周にわたって均一に密着させることが可能となり、一部に隙間ができて気密性が損なわれるという不具合を解消することができる。
【００３８】
しかも、前記キャップ取付筒５１の内周面５１２と前記糊充填部４３の外周面４３５との間に隙間５１３を設けているので、前記キャップ取付筒５１を全周にわたって比較的薄肉な均一厚みのものにすることができ、前記嵌合部５１１を正確な真円形状に成形することが可能となる。そのため、気密性を高めることができる。
【００３９】
さらに、このような隙間５１３を設けておけば、前記キャップ取付筒５１が径方向に弾性変形しやすくなるため、当該キャップ取付筒５１の外周と前記キャップ５２の内周との嵌合度合いをきつめに設定しても、前記キャップ５２を円滑に開閉することができる。すなわち、キャップ５２の開閉に支障が生じるという不具合の発生を抑制できる。よって、この点からも気密性を効果的に向上させることができる。
【００４０】
また、このような隙間５１３を設けておけば、この隙間５１３が糊充填部４３の外周に付着した残存糊の収容空間となり得る。そのため、糊充填部４３やボディ４４とキャップ５２との間の当接部分に糊３が付着して気密性が損なわれたり、キャップ５２の着脱に支障が出たりするという不具合を抑制することができる。
【００４１】
このように、本実施形態の構成によれば、気密性を高めることができるとともに、糊導出口４２の形状に関する設計の自由度を高めることができるので、糊３の乾燥に関する問題と、用紙の角部分への糊３の塗りにくさの問題を一挙に解決することができる。
【００４２】
また、この実施形態においては、前記容器本体４が、前記糊導出口４２を先端に有した糊充填部４３と、この糊充填部４３に一体に設けられ使用者が把持するための把持部分４４６を備えたボディ４４とを備えたものであるので、容器本体４を簡単な構成とすることができ、容易に実施が可能となる。しかも、前記糊充填部４３と前記ボディ４４とを一体に成形しても、前述したように前記隙間５１３の存在により真円度が損なわれることがなく、気密性を保つことができる。
【００４３】
前記キャップ取付筒５１が、嵌合部５１１を形成する気密性保持用のリブ５１５を全周にわたって備えたものにし、このリブ５１５の下面側に形成される嵌合部５１１にキャップ５２の内面に設けた内周リブ５２４を密に嵌合させるようにしているので、高い気密性を保つことができる。しかも、このようにすれば、前記気密性保持用のリブ５１５をキャップ５２を閉止位置（Ｃ）にクリックストップさせるためのクリックストップ用のリブ５１６としても機能させることができるため、構成の簡略化を図りつつ、使用感を高めることができる。その上、前記キャップ取付筒５１の一番先端側に気密性保持用のリブ５１５を備えているので、キャップ取付筒５１を短く設定することが可能となる。そのため、前記糊充填部４３の先端部分の視認性を良好なものとすることが容易になり、用紙等に糊３を正確に塗布することができる。
【００４４】
以上のような容器２を用いたスティック糊１であれば、糊３を塗りやすい上に、糊３の乾きを効果的に防止または抑制することができる。
【００４５】
＜第２実施形態（図８、図９）＞
この実施形態のスティック糊１の容器２は、図８及び図９に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものである。
【００４６】
前記容器本体４は、図８及び図９に示すように、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものである。この容器２の前記糊充填部４３に糊３を充填して、スティック糊１に使用される後述するリフィル７を構成している。
【００４７】
前記開閉機構５は、図８に示すように、第１実施形態に準じた構成のものであり、同一または対応する部分には同一の符号を付して説明を省略する。なお、この開閉機構５のキャップ取付筒５１は、第１実施形態と同様に真円形状をなしているが、糊充填部４３とは別体に構成されている。
【００４８】
前記糊押し出し機構６は、図８及び図９に示すように、前記ボディ４４の図示しない軸孔に貫装したねじ棒６１と、このねじ棒６１の外方端に固着した手動操作用のグリップ６２と、前記糊充填部４３内において前記ねじ棒６１に螺着されたエレベータ６３とを具備してなるものであり、前記グリップ６２を回動操作してエレベータ６３を前進させることにより糊充填部４３内に充填した糊３を糊導出口４２から外部に押し出し得るようになっている。なお、この実施形態におけるねじ棒６１は、後述するリフィル７内に配されるねじ棒本体６１１と、前記ボディ４４の軸孔に貫装され外方端が前記グリップ６２に一体化されたグリップ軸６１２と、このグリップ軸６１２と前記ねじ棒本体６１１とを着脱可能に接続するカップリング６１３とを備えたものである。前記カップリング６１３は、前記ねじ棒本体６１１の基端面に凹設され内周に内方歯６１５を有する雌型要素６１４と、この雌型要素６１４の内方歯６１５に着脱可能に係わり合う外方歯６１７を有し前記グリップ軸６１２に設けられた雄型要素６１６とを備えたものである。前記グリップ６２に加えられる回転操作力は、当該カップリング６１３を介して前記ねじ棒本体６１１に伝達され得るようになっている。グリップ６２及びエレベータ６３は、第１実施形態に準じた構成のものであり、同一または対応する部分には同一の符号を付して説明を省略する。
【００４９】
前記リフィル７は、図８及び図９に示すように、前記糊充填部４３に糊３を充填した状態で前記糊導出口４２を開放可能に封止したものであり、前記ボディ４４に着脱可能に装着し得るように構成されている。詳述すれば、このリフィル７は、リフィルケースを構成する角形筒状をなす糊充填部４３と、この糊充填部４３内にスライド移動可能に収容された前記エレベータ６３と、このエレベータ６３に螺着された前記ねじ棒本体６１１と、このねじ棒本体６１１を包囲するようにして前記糊充填部４３内に充填された糊３と、前記糊充填部４３の先端に形成された四角形をなす糊導出口４２に気密に添着された気密シート７２とを備えたものである。
【００５０】
前記リフィル７の基端部外周と、前記ボディ４４の基端部内周との間には、前記リフィル７をボディ４４内に安定保持させておくための弾性係合部７３が設けられている。前記弾性係合部７３は、前記リフィル７の基端部外周に突設した複数の爪７３１と、前記ボディ４４の内周に設けられた図示しない段部とを具備してなるもので、前記リフィル７をボディ４４内に挿入することにより、前記爪７３１が前記段部に弾性係合して前記リフィル７がボディ４４内に安定保持されるようになっている。なお、前記グリップ軸６１２の軸心部には、図示しない貫通孔が形成されており、この貫通孔にリフィル離脱用の押し棒８が挿入されている。この押し棒８の外方端には、リフィル７離脱時に押圧操作するための操作フランジ８１が設けられている。
【００５１】
なお、前記リフィル７を前記ボディ４４に装着すると、このリフィル７の外周と前記ボディ４４に一体に設けられたキャップ取付筒５１の内周との間に、前記キャップ取付筒５１の弾性変形を許容する図示しない隙間が形成される。
【００５２】
このような構成のスティック糊１であれば、糊３を使い切るごとに交換可能な前記リフィル７と、再利用可能な他の部分とに分けることができるので、廃棄する部品の数を少なくして環境負荷を低下させるのに役立つ。すなわち、糊３を使い切った状態で操作フランジ８１を押圧操作すると、前記弾性係合部７３の弾性係合が解除されリフィル７をボディ４４から抜き取って廃棄することができる。そして、新しいリフィル７をボディ４４に挿入すると、リフィル７のねじ棒本体６１１に設けられた雌型要素６１４とグリップ軸６１２に設けられた雄型要素６１６とが係合するとともに、リフィル７の外周に設けた爪７３１がボディ４４の内周に設けた段部に係合することになり、リフィル７の装着が完了することになる。
【００５３】
本実施形態のリフィル７は、前記糊導出口４２を気密シート７２により封止したものであり、その気密シート７２を除去した状態で前記ボディ４４に着脱可能に装着し得るようにしたものであるので、前述したようにボディ４４の内部にリフィル７を装着した状態で、当該リフィル７の気密シート７２を剥がすことにより、再び新しいスティック糊１として使用することが可能となる。
【００５４】
また、本実施形態の容器本体４は、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものであるので、その糊充填部４３に糊３を充填した上で前記糊導出口４２を前記気密シート７２で封印してリフィル７を形成することができる。
【００５５】
しかも、このような構成のものであれば、前記キャップ取付筒５１の内周面５１２と前記容器本体４の外周面４３５との間、より具体的には、前記ボディ４４側に設けられた円筒状をなす前記キャップ取付筒５１の内周面５１２と、前記リフィル７側に設けられた四角柱状をなす糊充填部４３の外周面４３５との間に、前記キャップ取付筒５１の弾性変形を許容する隙間が設けられているので、第１実施形態で述べたのと同様に、塗りやすさ及び気密性に関する基本的な効果が得られる。
【００５６】
また、前記リフィル７の前記糊充填部４３を前記ボディ４４に取り付けた状態では、前記糊導出口４２が前記キャップ取付筒５１の先端５１７よりも先方に配されるので、前記糊充填部４３の先端部分の視認性が良好なものとなる。
【００５７】
＜第３実施形態（図１０）＞
次に、本発明の第３実施形態にかかるスティック糊１を図１０を参照して説明する。
【００５８】
この実施形態のスティック糊１の容器２は、図１０に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第２実施形態とは、リフィル７の構造のみが異なっている。
【００５９】
前記リフィル７は、図１０に示すように、リフィルケースを構成する角形筒状をなす糊充填部４３と、この糊充填部４３内にスライド移動可能に収容された前記エレベータ６３と、このエレベータ６３に螺着された前記ねじ棒本体６１１と、このねじ棒本体６１１を包囲するようにして前記糊充填部４３内に充填された糊３と、前記糊充填部４３の糊充填空間４１が外部に連通するのを気密に遮断する閉止状態（Ｃ）及び前記糊３を外部に導出可能な開放状態（Ｏ）のいずれかを選択的にとり得るリフィル開閉機構７４とを備えたものであり、第２実施形態と同一または対応する部分には同一の符号を付して説明を省略する。
【００６０】
前記リフィル開閉機構７４は、図１０に示すように、前記糊充填部４３に設けられ外側に真円をなす嵌合部７５１を有したリフィルキャップ取付筒７５と、このリフィルキャップ取付筒７５の嵌合部７５１に着脱可能に外嵌されたリフィルキャップ７６とを備えたものである。
【００６１】
前記リフィルキャップ取付筒７５は、図１０に示すように、合成樹脂を材料として型を用いて形成されたものであり、具体的には、前記糊充填部４３の先端拡開部分４３３の先端に一体に形成されたものである。前記リフィルキャップ取付筒７５は、その内周面を先端方向に開放された隙間７５３を介して前記糊充填部４３の外周に対面させたものである。なお、このリフィルキャップ取付筒７５は、径方向に弾性変形し得る薄肉円筒状のものであり、前記糊充填部４３の先端筒状部分４３２に外接させてある。すなわち、前記リフィルキャップ取付筒７５と前記糊充填部４３とは、該糊充填部４３の４つの角部７５４においてのみ一体化されている。そのため、前記隙間７５３は、角部７５４においてそれぞれ分断されている。このリフィルキャップ取付筒７５は、嵌合部７５１を形成する断面半円形をなす気密性保持用のリブ７５５を全周にわたって備えたものである。この実施形態においては、前記気密性保持用のリブ７５５が、前記キャップ５２を閉止位置（Ｃ）にクリックストップさせるためのクリックストップ用のリブ７５６を兼ねている。そして、前記糊導出口４２は、前記リフィルキャップ取付筒７５の先端７５７よりも先方に配されている。
【００６２】
前記リフィルキャップ７６は、図１０に示すように、円筒状をなす周壁７６１と、この周壁７６１の先端を閉塞する閉止壁７６２とを有してなるもので、その周壁７６１を前記リフィルキャップ取付筒７５の外周から離脱可能に嵌合させ得るように構成されている。このリフィルキャップ７６は、合成樹脂により一体に成形されたもので、その内周面７６３に内周リブ７６４を一体に備えている。前記内周リブ７６４は、断面半円形状をなしており、前記気密性保持用のリブ７５５を部材の弾性変形を利用して乗り越えることにより、該リブ７５５に密着嵌合するものである。なお、前記糊充填部４３には、前記気密性保持用のリブ７５５を乗り越えたリフィルキャップ７６の端部が当接する当接壁４３４を備えている。
【００６３】
なお、前記リフィル７を前記ボディ４４に装着すると、このリフィル７の外周と前記ボディ４４に一体に設けられたキャップ取付筒５１の内周との間に、前記キャップ取付筒５１の弾性変形を許容する図示しない隙間が形成される。
【００６４】
このような構成のスティック糊１であれば、第２実施形態のものと同様に、廃棄する部品の数を少なくして環境負荷を低下させるのに役立つ。すなわち、糊３を使い切った状態で操作フランジ８１を押圧操作すると、前記弾性係合部７３の弾性係合が解除されリフィル７をボディ４４から抜き取って廃棄することができる。
【００６５】
本実施形態のリフィル７は、前記糊導出口４２をリフィルキャップ７６により封止したものであり、そのリフィルキャップ７６を除去した状態で前記ボディ４４に着脱可能に装着し得るようにしたものであるので、前述したようにボディ４４の内部にリフィル７を装着した状態で、当該リフィル７のリフィルキャップ７６を外すことにより再び新しいスティック糊１として使用することが可能となる。なお、このリフィルキャップ７６は、糊導出口４２から外した後は、再利用することなく廃棄すればよい。
【００６６】
また、本実施形態の容器本体４は、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものであるので、その糊充填部４３に糊３を充填した上で前記糊導出口４２を前記リフィルキャップ７６で封印してリフィル７を形成することができる。
【００６７】
しかも、このような構成のものであれば、前記キャップ取付筒５１の内周面５１２と前記容器本体４の外周面４３５との間、より具体的には、前記ボディ４４側に設けられた円筒状をなす前記キャップ取付筒５１の内周面５１２と、前記リフィル７側に設けられた四角柱状をなす糊充填部４３の外周面４３５との間に、前記キャップ取付筒５１の弾性変形を許容する隙間が設けられているので、第１実施形態で述べたのと同様に、塗りやすさ及び気密性に関する基本的な効果が得られる。
【００６８】
また、前記リフィル７の前記糊充填部４３を前記ボディ４４に取り付けた状態では、前記糊導出口４２が前記キャップ取付筒５１の先端５１７よりも先方に配されるので、前記糊充填部４３の先端部分の視認性が良好なものとなる。
【００６９】
その上、本実施形態のような構成のものであれば、前記リフィル７が、内部に糊３が充填される糊充填空間４１を有するとともに先端４４１に前記糊３を外部に導出させるための真円でない糊導出口４２を有した前記糊充填部４３と、この糊充填部４３の糊充填空間４１が外部に連通するのを気密に遮断する閉止状態（Ｃ）及び前記糊３を外部に導出可能な開放状態（Ｏ）のいずれかを選択的にとり得るリフィル開閉機構７４とを備えたものであるため、前記リフィルキャップ７６を離脱するまでの間、リフィル７の状態での気密性を保つこともできる。
【００７０】
＜第４実施形態（図１１）＞
次に、本発明の第４実施形態にかかるスティック糊１を図１１を参照して説明する。
【００７１】
この実施形態のスティック糊１の容器２は、図１１に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第２実施形態とは、リフィル７の構造のみが異なっている。
【００７２】
前記リフィル７は、図１１に示すように、リフィルケースを構成する角形筒状をなす糊充填部４３と、この糊充填部４３内にスライド移動可能に収容された前記エレベータ６３と、このエレベータ６３に螺着された前記ねじ棒本体６１１と、このねじ棒本体６１１を包囲するようにして前記糊充填部４３内に充填された糊３と、前記糊充填部４３の糊導出口４２を気密に閉鎖するための前記開閉機構５とを備えたものであり、第２実施形態と同一または対応する部分には同一の符号を付して説明を省略する。
【００７３】
前記開閉機構５は、図１１に示すように、前記容器本体４に設けられ外側に真円をなす嵌合部５１１を有したキャップ取付筒５１と、このキャップ取付筒５１の嵌合部５１１に着脱可能に外嵌されたキャップ５２とを備えたものである。
【００７４】
前記キャップ取付筒５１は、図１１に示すように、合成樹脂を材料として型を用いて形成されたものであり、具体的には、前記糊充填部４３の先端拡開部分４３３の先端に一体に形成されたものである。前記キャップ取付筒５１は、その内周面５１２を先端方向に開放された隙間５１３を介して前記糊充填部４３の外周に対面させたものである。なお、このキャップ取付筒５１は、径方向に弾性変形し得る薄肉円筒状のものであり、前記糊充填部４３の先端筒状部分４３２に外接させてある。すなわち、前記キャップ取付筒５１と前記糊充填部４３とは、該糊充填部４３の４つの角部５１４においてのみ一体化されている。そのため、前記隙間５１３は、角部５１４においてそれぞれ分断されている。このキャップ取付筒５１は、嵌合部５１１を形成する断面半円形をなす気密性保持用のリブ５１５を全周にわたって備えたものである。この実施形態においては、前記気密性保持用のリブ５１５が、前記キャップ５２を閉止位置（Ｃ）にクリックストップさせるためのクリックストップ用のリブ５１６を兼ねている。前記気密性保持用のリブ５１５は、キャップ取付筒５１の先端部外周に形成されており、このキャップ取付筒５１を可及的短寸に設計してある。そして、前記糊導出口４２は、前記キャップ取付筒５１の先端５１７よりも先方に配されている。
【００７５】
前記キャップ５２は、図１１に示すように、第１実施形態に準じた構成のものであり、同一または対応する部分には同一の符号を付して説明を省略する。なお、前記糊充填部４３には、前記気密性保持用のリブ５１５を乗り越えたキャップ５２の端部が当接する当接壁４３４を備えている。
【００７６】
このような構成のスティック糊１であれば、第２実施形態のものと同様に、廃棄する部品の数を少なくして環境負荷を低下させるのに役立つ。すなわち、糊３を使い切った状態で操作フランジ８１を押圧操作すると、前記係合部の弾性係合が解除されリフィル７をボディ４４から抜き取って廃棄することができる。
【００７７】
本実施形態のリフィル７は、前記糊導出口４２を前記キャップ５２により封止して、前記ボディ４４に着脱可能に装着し得るようにしたものであるので、前述したようにボディ４４の内部にリフィル７を装着した状態で、再び新しいスティック糊１として使用することが可能となる。なお、このリフィル７に取り付けられていたキャップ５２は、新たなスティック糊１のキャップ５２として使用することができる。
【００７８】
また、本実施形態の容器本体４は、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものであるので、その糊充填部４３に糊３を充填した上で前記糊導出口４２を前記キャップ５２で封印してリフィル７を形成することができる。
【００７９】
しかも、このような構成のものであれば、前記キャップ取付筒５１の内周面５１２と前記容器本体４の外周面４３５との間、より具体的には、前記リフィル７側に設けられた円筒状をなす前記キャップ取付筒５１の内周面５１２と、前記リフィル７側に設けられた四角柱状をなす糊充填部４３の外周面４３５との間に、前記キャップ取付筒５１の弾性変形を許容する隙間５１３が設けられているので、第１実施形態で述べたのと同様に、塗りやすさ及び気密性に関する基本的な効果が得られる。
【００８０】
その上、本実施形態のような構成のものであれば、前記リフィル７が、内部に糊３が充填される糊充填空間４１を有するとともに先端４４１に前記糊３を外部に導出させるための真円でない糊導出口４２を有した前記糊充填部４３と、この糊充填部４３の糊充填空間４１が外部に連通するのを気密に遮断する閉止状態（Ｃ）及び前記糊３を外部に導出可能な開放状態（Ｏ）のいずれかを選択的にとり得る前記開閉機構５とを備えたものであるため、前記キャップ５２を離脱するまでの間、リフィル７の状態での気密性を保つこともできる。
【００８１】
＜第５実施形態（図１２）＞
次に、本発明の第５実施形態にかかるスティック糊１を図１２を参照して説明する。
【００８２】
この実施形態のスティック糊１の容器２は、図１２に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第２実施形態とは、リフィル７の構造のみが異なっている。
【００８３】
前記容器本体４は、図１２に示すように、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものである。この容器２の前記糊充填部４３に糊３を充填して、スティック糊１に使用される後述するリフィル７を構成している。
【００８４】
前記開閉機構５は、図１２に示すように、第１実施形態に準じた構成のものであり、同一または対応する部分には同一の符号を付して説明を省略する。なお、この開閉機構５のキャップ取付筒５１は、第１実施形態と同様に真円形状をなしているが、糊充填部４３とは別体に構成されている。
【００８５】
前記糊押し出し機構６は、図１２に示すように、前記ボディ４４の図示しない軸孔に貫装したねじ棒６１と、このねじ棒６１の外方端に固着した手動操作用のグリップ６２と、前記糊充填部４３内において前記ねじ棒６１に螺着されたエレベータ６３とを具備してなるものであり、前記グリップ６２を回動操作してエレベータ６３を前進させることにより糊充填部４３内に充填した糊３を糊導出口４２から外部に押し出し得るようになっている。本実施形態のねじ棒６１、グリップ６２及びエレベータ６３は、第１実施形態に準じた構成のものであり、同一または対応する部分には同一の符号を付して説明を省略する。
【００８６】
前記リフィル７は、図１２に示すように、前記糊充填部４３に糊３を充填した状態で前記糊導出口４２を開放可能に封止したものであり、前記ボディ４４に着脱可能に装着し得るように構成されている。詳述すれば、このリフィル７は、リフィルケースを構成する角形筒状をなす糊充填部４３と、この糊充填部４３内にスライド移動可能に収容された前記エレベータ６３と、このエレベータ６３に基端側が固着され前記糊充填部４３内に充填された糊３と、前記糊充填部４３の先端に形成された四角形をなす糊導出口４２に気密に添着された気密シート７２とを備えたものである。
【００８７】
前記リフィル７の基端部外周と、前記ボディ４４の基端部内周との間には、前記リフィル７をボディ４４内に安定保持させておくための弾性係合部７３が設けられている。前記弾性係合部７３は、第２実施形態に準じた構成のものであり、同一または対応する部分には同一の符号を付して説明を省略する。また、第２実施形態のリフィル離脱用の押し棒８に準じた図示しないリフィル離脱用部品を用いて、前記爪７３１と段部との係合を解除するようにすればよい。
【００８８】
なお、前記リフィル７を前記ボディ４４に装着すると、このリフィル７の外周と前記ボディ４４に一体に設けられたキャップ取付筒５１の内周との間に、前記キャップ取付筒５１の弾性変形を許容する図示しない隙間が形成される。
【００８９】
このような構成のスティック糊１であれば、第２実施形態のものと同様に、廃棄する部品の数を少なくして環境負荷を低下させるのに役立つ。
【００９０】
本実施形態のリフィル７は、第２実施形態のリフィル７に準じた構成のものであり、前記糊導出口４２を気密シート７２により封止して、その気密シート７２を除去した状態で前記ボディ４４に着脱可能に装着し得るようにしたものであるので、前述したようにボディ４４の内部にリフィル７を装着した状態で、当該リフィル７の気密シート７２を剥がすことにより、再び新しいスティック糊１として使用することが可能となる。
【００９１】
しかも、このような構成のものであれば、前記キャップ取付筒５１の内周面５１２と前記容器本体４の外周面４３５との間、より具体的には、前記ボディ４４側に設けられた円筒状をなす前記キャップ取付筒５１の内周面５１２と、前記リフィル７側に設けられた四角柱状をなす糊充填部４３の外周面４３５との間に、前記キャップ取付筒５１の弾性変形を許容する隙間が設けられているので、第１実施形態で述べたのと同様に、塗りやすさ及び気密性に関する基本的な効果が得られる。
【００９２】
なお、図示しないが、以下のような態様のものであってもよい。
【００９３】
＜第５実施形態  第１変形例＞
本発明の第５実施形態の変形例にかかるスティック糊の容器は、内部に糊が充填される糊充填空間を有するとともに先端に前記糊を外部に導出させるための真円でない糊導出口を有した容器本体と、この容器本体の糊充填空間が外部に連通するのを気密に遮断する閉止状態及び前記糊を外部に導出可能な開放状態のいずれかを選択的にとり得る開閉機構と、前記糊を糊導出口から漸次導出させるための糊押し出し機構とを備えたものであり、前述した第５実施形態とは、リフィルの構造のみが異なっている。
【００９４】
前記リフィルは、リフィルケースを構成する角形筒状をなす糊充填部と、この糊充填部内にスライド移動可能に収容された前記エレベータと、このエレベータに基端側が固着され前記糊充填部内に充填された糊と、前記糊充填部の糊充填空間が外部に連通するのを気密に遮断する閉止状態及び前記糊を外部に導出可能な開放状態のいずれかを選択的にとり得るリフィル開閉機構とを備えたものであり、第５実施形態と同一または対応する部分は説明を省略する。
【００９５】
前記リフィル開閉機構は、前記糊充填部に設けられ外側に真円をなす嵌合部を有したリフィルキャップ取付筒と、このリフィルキャップ取付筒の嵌合部に着脱可能に外嵌されたリフィルキャップとを備えたものであり、第３実施形態と同一または対応する部分は説明を省略する。
【００９６】
なお、前記リフィルを前記ボディに装着すると、このリフィルの外周と前記ボディに一体に設けられたキャップ取付筒の内周との間に、前記キャップ取付筒の弾性変形を許容する隙間が形成される。
【００９７】
このような構成のスティック糊であれば、第２実施形態のものと同様に、廃棄する部品の数を少なくして環境負荷を低下させるのに役立つ。
【００９８】
本変形例のリフィルは、第３実施形態のリフィルに準じた構成のものであり、前記糊導出口をリフィルキャップにより封止して、そのリフィルキャップを除去した状態で前記ボディに着脱可能に装着し得るようにしたものであるので、前述したようにボディの内部にリフィルを装着した状態で、当該リフィルのリフィルキャップを外すことにより再び新しいスティック糊として使用することが可能となる。なお、このリフィルキャップは、糊導出口から外した後は、再利用することなく廃棄すればよい。
【００９９】
しかも、このような構成のものであれば、前記キャップ取付筒の内周面と前記容器本体の外周面との間、より具体的には、前記ボディ側に設けられた円筒状をなす前記キャップ取付筒の内周面と、前記リフィル側に設けられた四角柱状をなす糊充填部の外周面との間に、前記キャップ取付筒の弾性変形を許容する隙間が設けられているので、第１実施形態で述べたのと同様に、塗りやすさ及び気密性に関する基本的な効果が得られる。
【０１００】
その上、本変形例のような構成のものであれば、前記リフィルが、第３実施形態のリフィルに準じた構成のものであり、内部に糊が充填される糊充填空間を有するとともに先端に前記糊を外部に導出させるための真円でない糊導出口を有した前記糊充填部と、この糊充填部の糊充填空間が外部に連通するのを気密に遮断する閉止状態及び前記糊を外部に導出可能な開放状態のいずれかを選択的にとり得るリフィル開閉機構とを備えてなるので、前記リフィルキャップを離脱するまでの間、リフィルの状態での気密性を保つこともできる。
【０１０１】
＜第５実施形態  第２変形例＞
本発明の第５実施形態の他の変形例にかかるスティック糊の容器は、内部に糊が充填される糊充填空間を有するとともに先端に前記糊を外部に導出させるための真円でない糊導出口を有した容器本体と、この容器本体の糊充填空間が外部に連通するのを気密に遮断する閉止状態及び前記糊を外部に導出可能な開放状態のいずれかを選択的にとり得る開閉機構と、前記糊を糊導出口から漸次導出させるための糊押し出し機構とを備えたものであり、前述した第５実施形態とは、リフィルの構造のみが異なっている。
【０１０２】
前記リフィルは、リフィルケースを構成する角形筒状をなす糊充填部と、この糊充填部内にスライド移動可能に収容された前記エレベータと、このエレベータに基端側が固着され前記糊充填部内に充填された糊と、前記糊充填部の糊導出口を気密に閉鎖するための前記開閉機構とを備えたものであり、第５実施形態と同一または対応する部分は説明を省略する。
【０１０３】
前記開閉機構は、前記容器本体に設けられ外側に真円をなす嵌合部を有したキャップ取付筒と、このキャップ取付筒の嵌合部に着脱可能に外嵌されたキャップとを備えたものであり、第４実施形態と同一または対応する部分は説明を省略する。
【０１０４】
このような構成のスティック糊であれば、第２実施形態のものと同様に、廃棄する部品の数を少なくして環境負荷を低下させるのに役立つ。
【０１０５】
本変形例のリフィルは、第４実施形態のリフィルに準じたものであり、前記糊導出口を前記キャップにより封止して、前記ボディに着脱可能に装着し得るようにしたものであるので、前述したようにボディの内部にリフィルを装着した状態で、再び新しいスティック糊として使用することが可能となる。なお、このリフィルに取り付けられていたキャップは、新たなスティック糊のキャップとして使用することができる。
【０１０６】
しかも、このような構成のものであれば、前記キャップ取付筒の内周面と前記容器本体の外周面との間、より具体的には、前記リフィル側に設けられた円筒状をなす前記キャップ取付筒の内周面と、前記リフィル側に設けられた四角柱状をなす糊充填部の外周面との間に、前記キャップ取付筒の弾性変形を許容する隙間が設けられているので、第１実施形態で述べたのと同様に、塗りやすさ及び気密性に関する基本的な効果が得られる。
【０１０７】
その上、本変形例のような構成のものであれば、前記リフィルが、第４実施形態のリフィルに準じた構成のものであり、内部に糊が充填される糊充填空間を有するとともに先端に前記糊を外部に導出させるための真円でない糊導出口を有した前記糊充填部と、この糊充填部の糊充填空間が外部に連通するのを気密に遮断する閉止状態及び前記糊を外部に導出可能な開放状態のいずれかを選択的にとり得る前記開閉機構とを備えたものであるため、前記キャップを離脱するまでの間、リフィルの状態での気密性を保つこともできる。
【０１０８】
＜第６実施形態＞
次に、本発明の第６実施形態にかかるスティック糊１を図１３を参照して説明する。
【０１０９】
この実施形態のスティック糊１の容器２は、図１３に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第２実施形態とは、リフィル７の構造のみが異なっている。
【０１１０】
前記容器本体４は、図１３に示すように、前記糊導出口４２を先端に有した糊充填部４３と、この糊充填部４３を包持し使用者が把持するための把持部分４４６を備えたボディ４４とを備えたものであり、前記糊充填部４３を前記ボディ４４に対して着脱可能に設けたものである。この容器２の前記糊充填部４３に糊３を充填して、スティック糊１に使用される後述するリフィル７を構成している。
【０１１１】
前記開閉機構５は、図１３に示すように、第１実施形態に準じた構成のものであり、同一または対応する部分には同一の符号を付して説明を省略する。なお、この開閉機構５のキャップ取付筒５１は、第１実施形態と同様に真円形状をなしているが、糊充填部４３とは別体に構成されている。
【０１１２】
前記糊押し出し機構６は、図１３に示すように、前記ボディ４４の図示しない軸孔に貫装したねじ棒６１と、このねじ棒６１の外方端に固着した手動操作用のグリップ６２と、前記糊充填部４３内において前記ねじ棒６１に螺着されたエレベータ６３とを具備してなるものであり、前記グリップ６２を回動操作してエレベータ６３を前進させることにより糊充填部４３内に充填した糊３を糊導出口４２から外部に押し出し得るようになっている。本実施形態のねじ棒６１、グリップ６２及びエレベータ６３は、第１実施形態に準じた構成のものであり、同一または対応する部分には同一の符号を付して説明を省略する。
【０１１３】
前記リフィル７は、図１３に示すように、前記糊充填部４３に糊３を充填した状態で前記糊導出口４２を開放可能に封止したものであり、前記ボディ４４に着脱可能に装着し得るように構成されている。詳述すれば、このリフィル７は、リフィルケースを構成する角形筒状をなす糊充填部４３と、この糊充填部４３内にスライド移動可能に収容された前記エレベータ６３と、このエレベータ６３をスライド移動可能に操作するグリップ６２と、このグリップ６２に固着された前記ねじ棒６１と、このねじ棒６１を包囲するようにして前記糊充填部４３内に充填された糊３と、前記糊充填部４３の先端に形成された四角形をなす糊導出口４２に気密に添着された気密シート７２とを備えたものである。
【０１１４】
前記リフィル７の基端部外周と、前記ボディ４４の基端部内周との間には、前記リフィル７をボディ４４内に安定保持させておくための弾性係合部７３が設けられている。前記弾性係合部７３は、第２実施形態に準じた構成のものであり、同一または対応する部分には同一の符号を付して説明を省略する。また、第２実施形態のリフィル離脱用の押し棒８に準じた図示しないリフィル離脱用部品を用いて、前記爪７３１と段部との係合を解除するようにすればよい。
【０１１５】
なお、前記リフィル７を前記ボディ４４に装着すると、このリフィル７の外周と前記ボディ４４に一体に設けられたキャップ取付筒５１の内周との間に、前記キャップ取付筒５１の弾性変形を許容する図示しない隙間が形成される。
【０１１６】
このような構成のスティック糊１であれば、第２実施形態のものと同様に、廃棄する部品の数を少なくして環境負荷を低下させるのに役立つ。
【０１１７】
本実施形態のリフィル７は、第２実施形態のリフィル７に準じた構成のものであり、前記糊導出口４２を気密シート７２により封止して、その気密シート７２を除去した状態で前記ボディ４４に着脱可能に装着し得るようにしたものであるので、前述したようにボディ４４の内部にリフィル７を装着した状態で、当該リフィル７の気密シート７２を剥がすことにより、再び新しいスティック糊１として使用することが可能となる。
【０１１８】
しかも、このような構成のものであれば、前記キャップ取付筒５１の内周面５１２と前記容器本体４の外周面４３５との間、より具体的には、前記ボディ４４側に設けられた円筒状をなす前記キャップ取付筒５１の内周面５１２と、前記リフィル７側に設けられた四角柱状をなす糊充填部４３の外周面４３５との間に、前記キャップ取付筒５１の弾性変形を許容する隙間が設けられているので、第１実施形態で述べたのと同様に、塗りやすさ及び気密性に関する基本的な効果が得られる。
【０１１９】
なお、図示しないが、以下のような態様のものであってもよい。
【０１２０】
＜第６実施形態  第１変形例＞
本発明の第６実施形態の変形例にかかるスティック糊の容器は、内部に糊が充填される糊充填空間を有するとともに先端に前記糊を外部に導出させるための真円でない糊導出口を有した容器本体と、この容器本体の糊充填空間が外部に連通するのを気密に遮断する閉止状態及び前記糊を外部に導出可能な開放状態のいずれかを選択的にとり得る開閉機構と、前記糊を糊導出口から漸次導出させるための糊押し出し機構とを備えたものであり、前述した第６実施形態とは、リフィルの構造のみが異なっている。
【０１２１】
前記リフィルは、リフィルケースを構成する角形筒状をなす糊充填部と、この糊充填部内にスライド移動可能に収容された前記エレベータと、このエレベータをスライド移動可能に操作するグリップと、このグリップに固着された前記ねじ棒と、このねじ棒を包囲するように前記糊充填部内に充填された糊と、前記糊充填部の糊充填空間が外部に連通するのを気密に遮断する閉止状態及び前記糊を外部に導出可能な開放状態のいずれかを選択的にとり得るリフィル開閉機構とを備えたものであり、第６実施形態と同一または対応する部分は説明を省略する。
【０１２２】
前記リフィル開閉機構は、前記糊充填部に設けられ外側に真円をなす嵌合部を有したリフィルキャップ取付筒と、このリフィルキャップ取付筒の嵌合部に着脱可能に外嵌されたリフィルキャップとを備えたものであり、第３実施形態と同一または対応する部分は説明を省略する。
【０１２３】
なお、前記リフィルを前記ボディに装着すると、このリフィルの外周と前記ボディに一体に設けられたキャップ取付筒の内周との間に、前記キャップ取付筒の弾性変形を許容する隙間が形成される。
【０１２４】
このような構成のスティック糊であれば、第２実施形態のものと同様に、廃棄する部品の数を少なくして環境負荷を低下させるのに役立つ。
【０１２５】
本変形例のリフィルは、第３実施形態のリフィルに準じた構成のものであり、前記糊導出口をリフィルキャップにより封止して、そのリフィルキャップを除去した状態で前記ボディに着脱可能に装着し得るようにしたものであるので、前述したようにボディの内部にリフィルを装着した状態で、当該リフィルのリフィルキャップを外すことにより再び新しいスティック糊として使用することが可能となる。なお、このリフィルキャップは、糊導出口から外した後は、再利用することなく廃棄すればよい。
【０１２６】
しかも、このような構成のものであれば、前記キャップ取付筒の内周面と前記容器本体の外周面との間、より具体的には、前記ボディ側に設けられた円筒状をなす前記キャップ取付筒の内周面と、前記リフィル側に設けられた四角柱状をなす糊充填部の外周面との間に、前記キャップ取付筒の弾性変形を許容する隙間が設けられているので、第１実施形態で述べたのと同様に、塗りやすさ及び気密性に関する基本的な効果が得られる。
【０１２７】
その上、本変形例のような構成のものであれば、前記リフィルが、第３実施形態のリフィルに準じた構成のものであり、内部に糊が充填される糊充填空間を有するとともに先端に前記糊を外部に導出させるための真円でない糊導出口を有した前記糊充填部と、この糊充填部の糊充填空間が外部に連通するのを気密に遮断する閉止状態及び前記糊を外部に導出可能な開放状態のいずれかを選択的にとり得るリフィル開閉機構とを備えてなるので、前記リフィルキャップを離脱するまでの間、リフィルの状態での気密性を保つこともできる。
【０１２８】
＜第６実施形態  第２変形例＞
本発明の第６実施形態の他の変形例にかかるスティック糊の容器は、内部に糊が充填される糊充填空間を有するとともに先端に前記糊を外部に導出させるための真円でない糊導出口を有した容器本体と、この容器本体の糊充填空間が外部に連通するのを気密に遮断する閉止状態及び前記糊を外部に導出可能な開放状態のいずれかを選択的にとり得る開閉機構と、前記糊を糊導出口から漸次導出させるための糊押し出し機構とを備えたものであり、前述した第６実施形態とは、リフィルの構造のみが異なっている。
【０１２９】
前記リフィルは、リフィルケースを構成する角形筒状をなす糊充填部と、この糊充填部内にスライド移動可能に収容された前記エレベータと、このエレベータをスライド移動可能に操作するグリップと、このグリップに固着された前記ねじ棒と、このねじ棒を包囲するようにして前記糊充填部内に充填された糊と、前記糊充填部の糊導出口を気密に閉鎖するための前記開閉機構とを備えたものであり、第６実施形態と同一または対応する部分には同一の符号を付して説明を省略する。
【０１３０】
前記開閉機構は、前記容器本体に設けられ外側に真円をなす嵌合部を有したキャップ取付筒と、このキャップ取付筒の嵌合部に着脱可能に外嵌されたキャップとを備えたものであり、第４実施形態と同一または対応する部分は説明を省略する。
【０１３１】
このような構成のスティック糊であれば、第２実施形態のものと同様に、廃棄する部品の数を少なくして環境負荷を低下させるのに役立つ。
【０１３２】
本変形例のリフィルは、第４実施形態のリフィルに準じたものであり、前記糊導出口を前記キャップにより封止して、前記ボディに着脱可能に装着し得るようにしたものであるので、前述したようにボディの内部にリフィルを装着した状態で、再び新しいスティック糊として使用することが可能となる。なお、このリフィルに取り付けられていたキャップは、新たなスティック糊のキャップとして使用することができる。
【０１３３】
しかも、このような構成のものであれば、前記キャップ取付筒の内周面と前記容器本体の外周面との間、より具体的には、前記リフィル側に設けられた円筒状をなす前記キャップ取付筒の内周面と、前記リフィル側に設けられた四角柱状をなす糊充填部の外周面との間に、前記キャップ取付筒の弾性変形を許容する隙間が設けられているので、第１実施形態で述べたのと同様に、塗りやすさ及び気密性に関する基本的な効果が得られる。
【０１３４】
その上、本変形例のような構成のものであれば、前記リフィルが、第４実施形態のリフィルに準じた構成のものであり、内部に糊が充填される糊充填空間を有するとともに先端に前記糊を外部に導出させるための真円でない糊導出口を有した前記糊充填部と、この糊充填部の糊充填空間が外部に連通するのを気密に遮断する閉止状態及び前記糊を外部に導出可能な開放状態のいずれかを選択的にとり得る前記開閉機構とを備えたものであるため、前記キャップを離脱するまでの間、リフィルの状態での気密性を保つこともできる。
【０１３５】
＜第７実施形態（図１４）＞
次に、本発明の第７実施形態にかかるスティック糊１を図１４を参照して説明する。
【０１３６】
この実施形態のスティック糊１の容器２は、図１４に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第１実施形態とは、開閉機構５の構造のみが異なっている。
【０１３７】
前記開閉機構５は、図１４に示すように、前記容器本体４に設けられ外側に真円をなす嵌合部５１１を有したキャップ取付筒５１と、このキャップ取付筒５１の嵌合部５１１に着脱可能に外嵌されたキャップ５２とを備えたものである。
【０１３８】
前記キャップ取付筒５１は、図１４に示すように、合成樹脂を材料として型を用いて形成されたものであり、具体的には、前記ボディ４４の先端拡開部分４４２の先端４４１に一体に形成されたものである。前記キャップ取付筒５１は、その内周面を先端方向に開放された隙間５１３を介して前記容器本体４の先端筒状部分４３２に対面させたものである。なお、このキャップ取付筒５１は、径方向に弾性変形し得る薄肉円筒状のものであり、前記糊充填部４３の先端筒状部分４３２に外接させてある。すなわち、前記キャップ取付筒５１と前記糊充填部４３とは、該糊充填部４３の４つの角部５１４においてのみ一体化されている。そのため、前記隙間５１３は、角部５１４においてそれぞれ分断されている。このキャップ取付筒５１は、嵌合部５１１を形成する断面半円形をなす気密性保持用のリブ５１５を全周にわたって備えたものである。この実施形態においては、前記キャップ取付筒５１は、前記気密性保持用のリブ５１５と、このリブ５１５とは別に設けられ前記キャップ５２を閉止位置（Ｃ）にクリックストップさせるためのクリックストップ用の突部５１８とを備えてなる。前記クリックストップ用の突部５１８は、前記気密性保持用のリブ５１５よりも先端側に設けられたものであり、このクリックストップ用の突部５１８と前記気密性保持用のリブ５１５とは、前記キャップ取付筒５１の先端部外周に形成されている。本実施形態のクリックストップ用の突部５１８は、断面視半円形状をなす複数の突起が周方向に間欠的に配されたものである。また、前記糊導出口４２は、前記キャップ取付筒５１の先端５１７よりも先方に配されている。
【０１３９】
前記キャップ５２は、図１４に示すように、円筒状をなす周壁５２１と、この周壁５２１の先端を閉塞する閉止壁５２２とを有してなるもので、その周壁５２１を前記キャップ取付筒５１の外周に着脱可能に嵌合させ得るように構成されている。このキャップ５２は、合成樹脂により一体に成形されたもので、その内周面５２３に気密性保持用の内周リブ５２５及びクリックストップ用の内周リブ５２６を一体に備えている。前記気密性保持用の内周リブ５２５は、断面半円形状をなしており、前記気密性保持用のリブ５１５を部材の弾性変形を利用して乗り越えることにより、該リブ５１５に密着嵌合するものである。前記クリックストップ用の内周リブ５２６は、前記気密性保持用の内周リブ５２５に隣接して設けられるもので、断面半円形状をなしており、前記クリックストップ用の突部５１８を部材の弾性変形を利用して乗り越えることにより、該突部５１８に嵌合するものである。なお、前記ボディ４４の先端４４１には、前記気密性保持用のリブ５１５を乗り越えたキャップ５２の端部が当接する当接壁４４７を備えている。
【０１４０】
このように、前記キャップ取付筒５１が、嵌合部５１１を形成する気密性保持用のリブ５１５を全周にわたって備えたものであり、このリブ５１５の下面側に形成される嵌合部５１１にキャップ５２の内面に設けた気密性保持用の内周リブ５２５を密に嵌合させるようにしているので、高い気密性を保つことができる。さらに、前記キャップ取付筒５１が、前記気密性保持用のリブ５１５と、このリブ５１５とは別に設けられ前記キャップ５２を閉止位置（Ｃ）にクリックストップさせるためのクリックストップ用の突部５１８とを備えたものであるので、前記気密性保持用のリブ５１５と気密性保持用の内周リブ５２５とを嵌合させて気密性を高めつつ、前記クリックストップ用の内周リブ５２６が前記クリックストップ用の突部５１８を乗り越えることによって前記キャップ５２を閉止位置（Ｃ）にクリックストップさせることができ、使用感を高めることができる。
【０１４１】
さらに、このような構成のものであれば、第１実施形態と同様に、前記キャップ取付筒５１の内周面と前記容器本体４の外周面４３５との間に、前記キャップ取付筒５１の弾性変形を許容する隙間５１３が設けられているので、塗りやすさ及び気密性に関する基本的な効果が得られる。
【０１４２】
なお、本実施形態の開閉機構の構成を上述した第２〜第６実施形態に適用してもよいのはもちろんである。また、クリックストップ用の突部５１８の形状、配置位置は種々変更可能であり、例えば、クリックストップ用の突部が、気密性保持用のリブよりも基端側に設けられたものであってもよい。
【０１４３】
＜第８実施形態（図１５）＞
次に、本発明の第８実施形態にかかるスティック糊１を図１５を参照して説明する。
【０１４４】
この実施形態のスティック糊１の容器２は、図１５に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第７実施形態とは、開閉機構５のキャップ取付筒５１の構造のみが異なっている。
【０１４５】
前記開閉機構５は、図１５に示すように、前記容器本体４に設けられ外側に真円をなす嵌合部５１１を有したキャップ取付筒５１と、このキャップ取付筒５１の嵌合部５１１に着脱可能に外嵌されたキャップ５２とを備えたものである。
【０１４６】
前記キャップ取付筒５１は、図１５に示すように、合成樹脂を材料として型を用いて形成されたものであり、具体的には、前記ボディ４４の先端拡開部分４４２の先端４４１に一体に形成されたものである。前記キャップ取付筒５１は、その内周面を先端方向に開放された隙間５１３を介して前記容器本体４の先端筒状部分４３２に対面させたものである。なお、このキャップ取付筒５１は、径方向に弾性変形し得る薄肉円筒状のものであり、前記糊充填部４３の先端筒状部分４３２に外接させてある。すなわち、前記キャップ取付筒５１と前記糊充填部４３とは、該糊充填部４３の４つの角部５１４においてのみ一体化されている。そのため、前記隙間５１３は、角部５１４においてそれぞれ分断されている。このキャップ取付筒５１は、嵌合部５１１を形成する断面半円形をなす気密性保持用のリブ５１５を全周にわたって備えたものである。この実施形態においては、前記キャップ取付筒５１は、前記気密性保持用のリブ５１５と、このリブ５１５とは別に設けられ前記キャップ５２を閉止位置（Ｃ）にクリックストップさせるためのクリックストップ用の突部５１８とを備えてなる。前記クリックストップ用の突部５１８は、前記気密性保持用のリブ５１５よりも先端側に設けられたものであり、このクリックストップ用の突部５１８と前記気密性保持用のリブ５１５とは、キャップ取付筒５１の先端部外周に形成されている。本実施形態のクリックストップ用の突部５１８は、断面視半円形状をなす突条であり、周方向に連続して形成されたものである。また、前記糊導出口４２は、前記キャップ取付筒５１の先端５１７よりも先方に配されている。
【０１４７】
前記キャップ５２は、円筒状をなす周壁５２１と、この周壁５２１の先端を閉塞する閉止壁５２２とを有してなるもので、第７実施形態と同一または対応する部分には同一の符号を付して説明を省略する。
【０１４８】
このように、前記キャップ取付筒５１が、前記気密性保持用のリブ５１５と、このリブとは別に設けられ前記キャップ５２を閉止位置（Ｃ）にクリックストップさせるためのクリックストップ用の突部５１８とを備えたものであるので、第７実施形態に準じた効果が得られる。
【０１４９】
さらに、このような構成のものであれば、第１実施形態と同様に、前記キャップ取付筒５１の内周面と前記容器本体４の外周面４３５との間に、前記キャップ取付筒５１の弾性変形を許容する隙間５１３が設けられているので、塗りやすさ及び気密性に関する基本的な効果が得られる。
【０１５０】
なお、本実施形態の開閉機構５の構成を上述した第２〜第６実施形態に適用してもよいのはもちろんである。また、クリックストップ用の突部５１８の形状、配置位置は種々変更可能であり、例えば、クリックストップ用の突部が、気密性保持用のリブよりも基端側に設けられたものであってもよい。
【０１５１】
＜第９実施形態（図１６）＞
次に、本発明の第９実施形態にかかるスティック糊１を図１６を参照して説明する。
【０１５２】
この実施形態のスティック糊１の容器２は、図１６に示すように、内部に糊３が充填される糊充填空間４１を有するとともに先端に前記糊３を外部に導出させるための真円でない糊導出口４２を有した容器本体４と、この容器本体４の糊充填空間４１が外部に連通するのを気密に遮断する閉止状態（Ｃ）及び前記糊３を外部に導出可能な開放状態（Ｏ）のいずれかを選択的にとり得る開閉機構５と、前記糊３を糊導出口４２から漸次導出させるための糊押し出し機構６とを備えたものであり、前述した第７実施形態とは、開閉機構５の構造のみが異なっている。
【０１５３】
前記開閉機構５は、図１６に示すように、前記容器本体４に設けられ外側に真円をなす嵌合部５１１を有したキャップ取付筒５１と、このキャップ取付筒５１の嵌合部５１１に着脱可能に外嵌されたキャップ５２とを備えたものである。
【０１５４】
前記キャップ取付筒５１は、図１６に示すように、合成樹脂を材料として型を用いて形成されたものであり、具体的には、前記ボディ４４の先端拡開部分４４２の先端４４１に一体に形成されたものである。前記キャップ取付筒５１は、その内周面を先端方向に開放された隙間５１３を介して前記容器本体４の先端筒状部分４３２に対面させたものである。なお、このキャップ取付筒５１は、径方向に弾性変形し得る薄肉円筒状のものであり、前記糊充填部４３の先端筒状部分４３２に外接させてある。すなわち、前記キャップ取付筒５１と前記糊充填部４３とは、該糊充填部４３の４つの角部５１４においてのみ一体化されている。そのため、前記隙間５１３は、角部５１４においてそれぞれ分断されている。このキャップ取付筒５１は、嵌合部５１１を形成する気密性保持用の面５１９を全周にわたって備えたものである。前記気密性保持用の面５１９は、キャップ取付筒５１の先端部外周に形成されており、このキャップ取付筒５１を可及的短寸に設計してある。そして、前記糊導出口４２は、前記キャップ取付筒５１の先端５１７よりも先方に配されている。
【０１５５】
前記キャップ５２は、図１６に示すように、円筒状をなす周壁５２１と、この周壁５２１の先端を閉塞する閉止壁５２２とを有してなるもので、その周壁５２１を前記キャップ取付筒５１の外周に着脱可能に嵌合させ得るように構成されている。このキャップ５２は、合成樹脂により一体に成形されたもので、その内周面５２３を前記気密性保持用の面５１９に密着嵌合するように形成されている。
【０１５６】
このように、前記キャップ取付筒５１が、前記嵌合部５１１を形成する気密性保持用の面５１９を全周にわたって備えたものであるので、高い気密性を保つことができる。さらに、このような構成のものであれば、第１実施形態と同様に、前記キャップ取付筒５１の内周面と前記容器本体４の外周面４３５との間に、前記キャップ取付筒５１の弾性変形を許容する隙間５１３が設けられているので、塗りやすさ及び気密性に関する基本的な効果が得られる。
【０１５７】
なお、本実施形態の開閉機構５の構成を上述した第２〜第６実施形態に適用してもよいのはもちろんである。
【０１５８】
なお、本発明は以上に述べた実施形態に限られない。
【０１５９】
例えば、糊導出口の形状は、平面視正方形状をなすもの以外にも、図１７に示すような正三角形状や、図１８に示すような正六角形状、または例えば長方形状等図示しないその他の多角形状であってもよい。さらに、糊導出口の形状は、少なくとも一箇所に角部を有するものであれば、上述した塗りやすさの問題を解消することができるため、好ましい一例として扇形を挙げることもできる。また、図１９に示すように、糊が残留しない程度に角が丸みを帯びた形状であってもよく、例えば楕円形状等図示しない形状のものも含まれる。このような構成のものであれば、第１実施形態に準じた構成をなす隙間が存在するため、塗りやすさ及び気密性に関する基本的な効果が得られる。なお、図１７、図１８及び図１９では、上述した実施形態と同一または対応する部分に同一の符号を付して説明を省略する。
【０１６０】
また、上述した実施形態では、キャップ取付筒の嵌合部の外側形状を真円としていたが、キャップ取付筒にキャップを全周にわたって均一に密着させることが可能なものであればどのようなものであってもよく、例えば真円に近い楕円等、真円以外の円形状でもあってもよいのはもちろんである。
【０１６１】
また、前述した隙間は、空気が充満する空間であったが、この隙間に、前記嵌合部の円形度合いに影響を及ぼしにくい態様で前記キャップ取付筒の材料とは異なった材料を充填したものであってもよい。ここで、キャップ取付筒の材料とは異なった材料を前記隙間に充填する態様としては、キャップ取付筒に成形収縮によって変形が生じる、いわゆるヒケの問題が起こりにくい態様であればどのようなものであってもよく、例えば、前記隙間の形成後に前記材料を用いて当該隙間に別途取り付けるものや、前記キャップ取付筒と前記材料とを一体に成形するいわゆる二色成形を行うもの等種々適用可能である。
【０１６２】
また、気密シートやリフィルキャップは、ボディにリフィルを装着した後に取り外すものに限られず、ボディにリフィルを装着する前に取り外すものであってもよいのはもちろんである。
【０１６３】
その他、本発明の趣旨を損ねない範囲で種々に変更してよい。
【符号の説明】
【０１６４】
１…スティック糊
２…容器
３…糊
４…容器本体
４１…糊充填空間
４２…糊導出口
４３…糊充填部
４４…ボディ
４４１…先端
４４６…把持部分
５…開閉機構
（Ｃ）…閉止状態
（Ｏ）…開放状態
５１…キャップ取付筒
５１１…嵌合部
５１２…内周面
５１３…隙間
５１５…気密性保持用のリブ
５１６…クリックストップ用のリブ
５１７…先端
５１８…クリックストップ用の突部
５１９…気密性保持用の面
５２…キャップ
（Ｃ）…閉止位置
６…糊押し出し機構
７…リフィル
７２…気密シート
７６…リフィルキャップ
【図１】
0005928663.tif 000002
【図２】
0005928663.tif 000003
【図３】
0005928663.tif 000004
【図４】
0005928663.tif 000005
【図５】
0005928663.tif 000006
【図６】
0005928663.tif 000007
【図７】
0005928663.tif 000008
【図８】
0005928663.tif 000009
【図９】
0005928663.tif 000010
【図１０】
0005928663.tif 000011
【図１１】
0005928663.tif 000012
【図１２】
0005928663.tif 000013
【図１３】
0005928663.tif 000014
【図１４】
0005928663.tif 000015
【図１５】
0005928663.tif 000016
【図１６】
0005928663.tif 000017
【図１７】
0005928663.tif 000018
【図１８】
0005928663.tif 000019
【図１９】
0005928663.tif 000020